(57)【特許請求の範囲】
【請求項１】
把持部にブラシ本体を連設したヘアーブラシであって、
前記ブラシ本体の長手方向に沿ってブラシ歯が櫛歯列状に並んだ複数のブラシ歯列を、前記ブラシ本体に放射状に配設して備え、
前記複数のブラシ歯列の内の少なくとも一列の前記ブラシ歯列は、毛髪の梳きが可能な第１歯間ピッチでブラシ歯を櫛歯列状に並べた第１ブラシ歯列とされ、
前記複数のブラシ歯列の残余の前記ブラシ歯列は、毛髪の梳きの際にその梳かれる毛髪との摩擦により毛髪の梳き動作に伴う毛髪へのテンション付与を可能とするようにブラシ歯を列状に並べた第２ブラシ歯列とされ、
該第２ブラシ歯列は、前記第１ブラシ歯列の前記第１歯間ピッチより狭い第２歯間ピッチでブラシ歯を櫛歯列状に並べて備えることで、前記毛髪との摩擦による前記テンション付与を可能とすると共に、前記第１ブラシ歯列の前記ブラシ歯と同等のブラシ歯と前記第１ブラシ歯列の前記ブラシ歯より短いブラシ歯とを前記第２歯間ピッチで交互に備える
ヘアーブラシ。
【請求項２】
前記第１ブラシ歯列は、２列用意されて、前記ブラシ本体を挟んでブラシ歯の基部が背中合わせとなるように配設されている請求項１に記載のヘアーブラシ。
【請求項３】
把持部にブラシ本体を連設したヘアーブラシであって、
前記ブラシ本体の長手方向に沿ってブラシ歯が櫛歯列状に並んだ複数のブラシ歯列を、前記ブラシ本体に放射状に配設して備え、
前記複数のブラシ歯列の内の少なくとも一列の前記ブラシ歯列は、毛髪の梳きが可能な第１歯間ピッチでブラシ歯を櫛歯列状に並べた第１ブラシ歯列とされ、
前記複数のブラシ歯列の残余の前記ブラシ歯列は、毛髪の梳きの際にその梳かれる毛髪との摩擦により毛髪の梳き動作に伴う毛髪へのテンション付与を可能とするようにブラシ歯を列状に並べた第２ブラシ歯列とされ、
前記第１ブラシ歯列は、２列用意されて、前記ブラシ本体を挟んでブラシ歯の基部が背中合わせとなるように配設されている
ヘアーブラシ。
【請求項４】
前記ブラシ本体は、前記長手方向と交差する断面において扁平断面形状とされている請求項１ないし請求項３いずれかに記載のヘアーブラシ。
【請求項５】
前記把持部は、前記ブラシ本体における前記第１ブラシ歯列の並びの延長線上に、把持滑り止め用の滑り止め部位を有する請求項１ないし請求項４いずれかに記載のヘアーブラシ。
【発明の詳細な説明】
【技術分野】
【０００１】
本発明は、把持部にブラシ本体を連設したヘアーブラシに関する。
【背景技術】
【０００２】
ヘアーブラシは、毛髪を梳くのみならず、頭髪の縮毛をなるべく真っ直ぐな髪に矯正するストレートパーマにも使用され、種々提案されている（例えば、特許文献１等）。
【先行技術文献】
【特許文献】
【０００３】
【特許文献１】特開２００６−１０２３６３号公報
【発明の概要】
【発明が解決しようとする課題】
【０００４】
上記の特許公報で提案されたヘアーブラシは、片手で握り得る二本の柄をピンセット型に連結し、ストレートパーマに際しては、二本の柄が使用者の片手で把持される。この使用者は、ストレートパーマ用の薬剤を縮毛に塗布した上で、ヘアーブラシの二本の柄を把持して縮毛をブラシにて挟み、柄を把持したままヘアーブラシを毛先側に移動させて縮毛にテンションを付与する。こうしてテンションを付与したまま、使用者はもう片方の手でドライヤーを持って温風をテンション付与箇所の毛髪に当てている。
【０００５】
上記したピンセット型のヘアーブラシを用いたストレートパーマには、パーマの出来映えについての問題は全くない。しかしながら、ピンセット型の二本の柄の把持状況は、ブラシによる縮毛挟持延いては毛髪へのテンション付与の状況に影響を及ぼすため、二本の柄が離れないように柄を握りしめるという特異な把持動作をパーマ施術中に亘って継続しなければならなかった。特に、ストレートパーマを所望する人自らがストレートパーマを施術する場合には、そのパーマ所望者は、その人自身の毛髪にテンションを掛けるために自らの一方の手で上記した特異な把持動作を行いつつ、他方の手でドライヤーを操作する必要があることから、ブラシの把持動作に慎重さが必要となり、その改善が求められるに至った。
【０００６】
本発明は、上述の課題の少なくとも一部を解決するためになされたものであり、以下の構成を採用した。
把持部にブラシ本体を連設したヘアーブラシであって、
前記ブラシ本体の長手方向に沿ってブラシ歯が櫛歯列状に並んだ複数のブラシ歯列を、前記ブラシ本体に放射状に配設して備え、
前記複数のブラシ歯列の内の少なくとも一列の前記ブラシ歯列は、毛髪の梳きが可能な第１歯間ピッチでブラシ歯を櫛歯列状に並べた第１ブラシ歯列とされ、
前記複数のブラシ歯列の残余の前記ブラシ歯列は、毛髪の梳きの際にその梳かれる毛髪との摩擦により毛髪の梳き動作に伴う毛髪へのテンション付与を可能とするようにブラシ歯を列状に並べた第２ブラシ歯列とされ、
該第２ブラシ歯列は、前記第１ブラシ歯列の前記第１歯間ピッチより狭い第２歯間ピッチでブラシ歯を櫛歯列状に並べて備えることで、前記毛髪との摩擦による前記テンション付与を可能とすると共に、前記第１ブラシ歯列の前記ブラシ歯と同等のブラシ歯と前記第１ブラシ歯列の前記ブラシ歯より短いブラシ歯とを前記第２歯間ピッチで交互に備える。
【課題を解決するための手段】
【０００７】
上記した目的の少なくとも一部を達成するために、本発明では、以下の構成を採用した。
【０００８】
[適用：ヘアーブラシ]
把持部にブラシ本体を連設したヘアーブラシであって、
前記ブラシ本体の長手方向に沿ってブラシ歯が櫛歯列状に並んだ複数のブラシ歯列を、前記ブラシ本体に放射状に配設して備え、
前記複数のブラシ歯列の内の少なくとも一列の前記ブラシ歯列は、毛髪の梳きが可能な第１歯間ピッチでブラシ歯を櫛歯列状に並べた第１ブラシ歯列とされ、
前記複数のブラシ歯列の残余の前記ブラシ歯列は、毛髪の梳きの際にその梳かれる毛髪との摩擦により毛髪の梳き動作に伴う毛髪へのテンション付与を可能とするようにブラシ歯を列状に並べた第２ブラシ歯列とされている
ことを要旨とする。
【０００９】
上記構成のヘアーブラシを用いる場合、使用者は、把持部を把持して上記構成のヘアーブラシを毛髪の根元側から毛先側に動かす毛髪の梳き動作（以下、単に毛髪梳き動作と称する）を行う。この毛髪梳き動作を行うに当たり、例えば、第１ブラシ歯列を毛髪の根元側において毛髪に当てることで、その後の毛先側への毛髪梳き動作において、毛髪は、毛髪の梳きが可能な第１歯間ピッチでブラシ歯を櫛歯列状に並べた第１ブラシ歯列により、毛流れが整えられつつ梳かれることになる。仮に第２ブラシ歯列を毛髪の根元側において毛髪に当てたとしても、ヘアーブラシを回転させながら毛髪梳きを行うことで第１ブラシ歯列が毛髪梳きに関与することから、この場合であっても、毛髪は第１ブラシ歯列により毛流れが整えられつつ梳かれることになる。
【００１０】
ブラシ本体には、この第１ブラシ歯列に加えて第２ブラシ歯列も放射状に配設されていることから、第１ブラシ歯列の隣の第２ブラシ歯列によっても、毛髪は梳かれることになる。この第２ブラシ歯列は、そのブラシ歯を毛髪梳き動作の際にその梳かれる毛髪との摩擦により毛髪梳き動作に伴う毛髪へのテンション付与を可能とするように長手方向に沿って列状に並べていることから、この第２ブラシ歯列にて梳かれる毛髪は、上記した毛髪梳き動作に伴ってテンションを受ける。この場合、第２ブラシ歯列は、第１ブラシ歯列に並んで放射状に位置することから、毛髪には、第１ブラシ歯列で上記したように毛流れが整えられて第２ブラシ歯列によりテンションを付与できる。
【００１１】
こうしてテンションを受けた毛髪は、ほぼ真っ直ぐに伸ばされた状態となる。そして、上記構成のヘアーブラシは、こうした毛髪へのテンション付与を使用者による毛髪梳き動作だけで起こし、テンション付与に際して二本の柄が離れないように柄を握りしめるという特異な把持動作を必要としない。しかも、使用者が毛髪梳き動作を途中で中断してヘアーブラシを毛髪梳き動作の中断位置に留め置きさえすれば、上記構成のヘアーブラシは、毛髪との摩擦に基づいて第２ブラシ歯列により毛髪にテンションを付与したままとする。この結果、上記構成のヘアーブラシによれば、把持部を単純に握るように把持してヘアーブラシを毛髪の根元側から毛先側に動かす毛髪梳き動作だけで、毛髪に容易にテンションを付与することができる。このことは、縮毛のストレートパーマに適したヘアーブラシを提供できることも意味する。
【００１２】
加えて、上記構成のヘアーブラシは、複数のブラシ歯列の少なくとも一つの第１ブラシ歯列と残余の第２ブラシ歯列をブラシ本体に放射状に配設している。このため、毛先側への毛髪梳き動作途中での中断位置或いは毛先側に達した状態での毛髪梳き動作の中断位置に使用者がヘアーブラシを留め置く際に、その使用者がヘアーブラシを回転させることで、毛髪は複数列の第２ブラシ歯列で梳かれることになる。よって、毛髪梳き動作に伴う毛髪へのテンション付与は複数列の第２ブラシ歯列にて可能となるので、容易且つ確実に毛髪にテンションを付与できると共に、テンション維持も容易となる。ヘアーブラシを回転させながら毛先側への毛髪梳き動作を行い、その過程でヘアーブラシ回転と毛髪梳き動作とを停止させて使用者がヘアーブラシを留め置く場合も、上記した毛髪へのテンションの付与とその維持を容易且つ確実に達成できる。
【００１３】
上記したように、上記構成のヘアーブラシは、毛髪梳き動作を伴う縮毛のストレートパーマに用いられることから、第１ブラシ歯列が櫛歯列状に並べたブラシ歯の第１歯間ピッチを毛髪の梳きが可能なピッチとする場合、当該ピッチをヘアーブラシ実用上から設定できる。第２ブラシ歯列にあっても、ヘアーブラシ実用上から毛髪梳き動作に伴う毛髪へのテンション付与を可能とするブラシ歯ピッチを設定できる。例えば、ブラシ歯を櫛歯形状とした場合には、第１ブラシ歯列の第１歯間ピッチを３〜１２ｍｍ程度とすれば、第１ブラシ歯列を毛髪の梳きが可能なピッチのブラシ歯列とでき、これより狭いピッチでは毛髪梳き動作に伴う摩擦が大きくなって梳き動作がしづらくなり、上記範囲を超えるピッチでは毛髪の毛流れも整えがたくなり実用上の支障を来すと予想される。第２ブラシ歯については、歯間ピッチを１．５〜３ｍｍ程度とすれば、第２ブラシ歯列を毛髪の梳き動作に伴う毛髪へのテンション付与が可能なブラシ歯列とでき、これより狭いピッチでは毛髪梳き動作に伴う摩擦が大きくなり過ぎて梳き動作に実用上の支障が起きると予想でき、上記範囲を超えるピッチでは毛髪へのテンション付与が不十分となる。
【００１４】
また、第１ブラシ歯列と残余の第２ブラシ歯列を含む複数のブラシ歯列をブラシ本体に放射状に配設するに当たり、プラシ本体周りにおけるブラシ歯列のピッチ、即ちブラシ本体から放射状の複数のブラシ歯列の列数にもヘアーブラシ実用上から設定できる。例えば、プラシ本体周りに２〜４列のブラシ歯列がブラシ本体から放射状に延びただけでは、ヘアーブラシを上記したように回転させながら用いる際に毛髪に絡まるブラシ歯列の列数が少なくてテンション付与が不十分となる。一方、プラシ本体周りに１５列を超えるような数のブラシ歯列がブラシ本体から放射状に延びていると、ヘアーブラシを上記したように回転させながら用いる際に毛髪に絡まるブラシ歯列の列数が多すぎて毛髪との摩擦が過大となり、毛髪梳き動作に支障を来すと予想される。このため、プラシ本体周りに５〜１５列のブラシ歯列を第１ブラシ歯列と残余の第２ブラシ歯列として、これら複数のブラシ歯列をブラシ本体から放射状に配設することが、ヘアーブラシの実情に合うと予想される。
【００１５】
上記したヘアーブラシは、次のような態様とすることができる。例えば、前記第２ブラシ歯列を、前記第１ブラシ歯列の前記第１歯間ピッチより狭い第２歯間ピッチでブラシ歯を櫛歯列状に並べて備えるようにして、前記毛髪との摩擦による前記テンション付与を可能とすることができる。こうすれば、第１ブラシ歯列にて毛流れが整えられた毛髪が狭い第２歯間ピッチで並んだ櫛歯列状のブラシ歯間を通るので、第１ブラシ歯列にて毛流れが整えられた毛髪に毛髪梳き動作に伴ってより確実且つ容易にテンションを付与でき、縮毛のストレートパーマに際しての縮毛のストレート化とその保持に好適となる。
【００１６】
この場合、前記第２ブラシ歯列を、前記第１ブラシ歯列の前記ブラシ歯と同等のブラシ歯と前記第１ブラシ歯列の前記ブラシ歯より短いブラシ歯とを前記第２歯間ピッチで交互に備えるものとできる。こうすれば、ブラシ歯の長さに長短を設けた第２ブラシ歯列にあっても、短寸のブラシ歯より長いブラシ歯部分において、既述した毛髪梳き動作に伴う毛流れの整えを必然的に起こす。よって、毛流れをより一層整えた上でのテンション付与が行われることになるので、縮毛のストレートパーマに際しての毛髪へのテンション付与の実効性が高まり、縮毛のストレート化とその保持にとってより好ましい。
【００１７】
また、前記第１ブラシ歯列を２列用意した上で、その２列の第１ブラシ歯列を前記ブラシ本体を挟んでブラシ歯の基部が背中合わせとなるように配設することもできる。こうすれば、２列の第１ブラシ歯列は、ブラシ歯を１８０°の開きを持って並べるので、毛髪へのテンション付与とテンション維持を図るための上記したヘアーブラシの回転動作の許容範囲が広がり、ヘアーブラシの使用方法の多様化を図ることができる。
【００１８】
この他、前記ブラシ本体については、これを長手方向と交差する断面において扁平断面形状とすることもできる。こうすれば、次の利点がある。第１ブラシ歯列と第２ブラシ歯列をブラシ本体に放射状に備えるヘアーブラシを樹脂の型成型にて形成する場合、上記した扁平断面形状のブラシ本体では、ブラシ歯列のブラシ歯基部において扁平とはいえ平面状の部位が存在し、この平面状部位から上記の複数のブラシ歯列を放射状に延ばすことができる。そして、扁平断面形状のブラシ本体から複数のブラシ歯列を放射状とするに当たり、ブラシ本体の中心軸からそれぞれのブラシ歯列（詳しくはブラシ歯列の各ブラシ歯）を放射状に延ばすのではなく、あるブラシ歯列の各ブラシ歯についてはブラシ本体の中心軸から延ばし、その隣のブラシ歯列の各ブラシ歯については、ブラシ本体の中心軸からオフセットした位置のブラシ歯本体表面から放射状に延ばすようにできる。
【００１９】
そして、扁平断面形状のブラシ本体においては、あるブラシ歯列において隣り合うブラシ歯の基部と基部の間の平面状部位や隣り合うブラシ歯列のブラシ歯の基部と基部の間の平面状部位を、型成型品（ヘアーブラシ）の型抜けを行う場合の成型品押しピンの押し位置とできるので、型成型品（ヘアーブラシ）の型抜きが容易となる。なお、複数のブラシ歯列である第１、第２のブラシ歯列が有するブラシ歯を、ブラシ歯基部において矩形断面とし、ブラシ歯先端に向かうに従って断面狭小となる櫛歯形状とすれば、型成型品（ヘアーブラシ）の型抜きがより容易となる。
【００２０】
また、前記把持部については、これを前記ブラシ本体における前記第１ブラシ歯列の並びの延長線上に把持滑り止め用の滑り止め部位を有するものとできる。こうすれば、把持した把持部の滑り止め部位にて、ブラシ本体における第１ブラシ歯列の形成位置を容易に認知できるので、毛髪梳き動作の当初において、第１ブラシ歯列を毛髪の根元側に容易に当てることができる。よって、その後の毛髪梳き動作に伴う第１ブラシ歯列により毛流れの整えや第２ブラシ歯列による毛髪へのテンション付与の実効性がより高まり好ましい。滑り止め部位は、把持部を把持した際の把持滑り止め用の機能を果たせばよく、その形状やその形成の様子は種々が採用できる。例えば、第１ブラシ歯列の並びの延長線上に凹凸を繰り返して設けたり、筋状の凸条或いは凹条を延長線に沿って延びるよう形成することもできる。
【図面の簡単な説明】
【００２１】
【図１】本発明の実施例としてのヘアーブラシ１０の概略斜視図である。
【図２】ヘアーブラシ１０の正面図である。
【図３】ヘアーブラシ１０の右側面図である。
【図４】ヘアーブラシ１０の平面図である。
【図５】ヘアーブラシ１０の底面図である。
【図６】図２における６−６線に沿って断面視した断面端面図である。
【図７】図２における７−７線に沿って断面視した断面端面図である。
【図８】図２における８−８線に沿って断面視した断面端面図である。
【図９】第１ブラシ歯列３０と第２ブラシ歯列４０のブラシ歯配列の様子を説明する説明図である。
【図１０】第１ブラシ歯列３０において第１歯間ピッチＰ１で櫛歯列状に並んだブラシ歯と第２ブラシ歯列４０において第２歯間ピッチＰ２の倍のピッチで並んだ長寸ブラシ歯４２による毛髪梳きの様子を模式的に示す説明図である。
【図１１】第２ブラシ歯列４０において第２歯間ピッチＰ２で交互に並んだ長寸ブラシ歯４２と短寸ブラシ歯４４による毛髪梳きの様子を模式的に示す説明図である。
【図１２】ストレートパーマを所望する本人（使用者）自身によるストレートパーマ施術の様子を模式的に示す説明図である。
【図１３】ストレートパーマ施術の際の毛髪の梳きの様子を模式的に示す説明図である。
【発明を実施するための形態】
【００２２】
以下、本発明の実施の形態について、その実施例を図面に基づき説明する。図１は本発明の実施例としてのヘアーブラシ１０の概略斜視図、図２はヘアーブラシ１０の正面図、図３はヘアーブラシ１０の右側面図、図４はヘアーブラシ１０の平面図、図５はヘアーブラシ１０の底面図、図６は図２における６−６線に沿って断面視した断面端面図、図７は図２における７−７線に沿って断面視した断面端面図、図８は図２における８−８線に沿って断面視した断面端面図である。
【００２３】
図示するように、ヘアーブラシ１０は、把持部１２にブラシ本体２０を連設して備える樹脂成形品である。把持部１２は、ブラッシングおよび後述のストレートパーマ施術等の際に使用者に把持される部位であり、把持に適した径の円柱シャフトとされている。そして、この把持部１２は、ブラシ本体２０の側において細径化され、表裏面に凸部１２ａと凹部１２ｂを交互にいつ列に並べて備える。この場合、下端側の一つの凹部１２ｂは、他の凹部１２ｂより開口面積が大きくされている。こうした並んだ凸部１２ａは、把持部１２を使用者が指で把持した際の滑り止めとして機能する。
【００２４】
ブラシ本体２０は、図７や図８に示すように、ブラシ本体長手方向と交差する断面において扁平断面形状をなして把持部１２に連設して延び、第１ブラシ歯列３０と第２ブラシ歯列４０と端部ブラシ歯５０とを備える。第１ブラシ歯列３０は、ブラシ本体２０の扁平断面の表裏の扁平面においてブラシ本体中心軸からブラシ歯を真っ直ぐ延ばし、当該ブラシ歯をブラシ本体２０の長手方向に沿って櫛歯列状に並べて形成されている。ヘアーブラシ１０は、図２におけるブラシ表面とブラシ背面にそれぞれ第１ブラシ歯列３０を備え、この表裏の２列の第１ブラシ歯列３０は、図４〜図７に示すように、ブラシ本体２０を挟んでブラシ歯の基部を背中合わせにして形成されている。ブラシ本体表裏の第１ブラシ歯列３０は、ブラシ歯を毛髪の梳きが可能な第１歯間ピッチＰ１でブラシ本体２０の長手方向に沿って櫛歯列状に並べている。この第１歯間ピッチＰ１については後述する。ブラシ本体表裏の第１ブラシ歯列３０については、それぞれのブラシ歯列を区別する際にはブラシ正面側を第１ブラシ歯列３０Ｆ、ブラシ背面側を第１ブラシ歯列３０Ｂと称する。なお、ブラシ表裏の把持部１２の凸部１２ａは、ブラシ本体２０における第１ブラシ歯列３０の並びの延長線上に並ぶようにされている。
【００２５】
第２ブラシ歯列４０は、図１〜図３に示すように、長寸ブラシ歯４２と短寸ブラシ歯４４とを備え、第１ブラシ歯列３０の第１歯間ピッチＰ１より狭い第２歯間ピッチＰ２で長短のブラシ歯をブラシ本体２０の長手方向に沿って櫛歯列状に交互に並べて形成されている。この場合、短寸ブラシ歯４４は、長寸ブラシ歯４２のほぼ７割ほどの長さとされている。そして、この第２ブラシ歯列４０は、図４〜図５および図７に示すように、第１ブラシ歯列３０Ｆと第１ブラシ歯列３０Ｂの列間にブラシ本体周りにほぼ等ピッチで３ずつ列配設されている。つまり、ヘアーブラシ１０は、ブラシ本体表裏の第１ブラシ歯列３０Ｆと第１ブラシ歯列３０Ｂに加え第１ブラシ歯列間両側の３列の第２ブラシ歯列４０の８列のブラシ歯列を、ブラシ本体２０を取り囲むようブラシ本体２０に放射状に配設して備えることになる。第１ブラシ歯列３０と第２ブラシ歯列４０のブラシ歯配列の様子と第２歯間ピッチＰ２については、後述する。
【００２６】
第２ブラシ歯列４０は長短のブラシ歯を扁平断面形状のブラシ本体２０から延ばすに当たり、第１ブラシ歯列３０Ｆおよび第１ブラシ歯列３０Ｂの両側の４列の第２ブラシ歯列４０については、ブラシ本体２０の扁平断面の表裏の扁平面においてブラシ本体中心軸からオフセットした位置からブラシ歯を斜めに延ばしている。ブラシ本体２０の扁平断面端部の２列の第２ブラシ歯列４０については、ブラシ本体２０の扁平断面端部からブラシ歯を真っ直ぐ延ばしている。このため、第１ブラシ歯列３０の両側の４列の第２ブラシ歯列４０は、図７〜図８に示すように、ブラシ本体中心軸からオフセットして斜めに伸びて放射状となる。これに対し、第１ブラシ歯列３０Ｆと第１ブラシ歯列３０Ｂおよびブラシ本体２０の扁平断面端部の２列の第２ブラシ歯列４０とは、ブラシ本体中心軸から真っ直ぐに伸びて放射状となる。
【００２７】
本実施例では、こうして放射状に延びたブラシ歯列のうち、第２ブラシ歯列４０については、ブラシ歯列の長寸ブラシ歯４２の歯先をブラシ本体中心軸から等距離に位置させ、短寸ブラシ歯４４についてもブラシ本体中心軸から等距離に位置させている。第１ブラシ歯列３０については、そのブラシ歯を第２ブラシ歯列４０の長寸ブラシ歯４２よりやや短くしていることから、その歯先を第２ブラシ歯列４０の長寸ブラシ歯４２の歯先位置よりやや内側としている。これら歯先位置について、ヘアーブラシ１０をストレートパーマ施術に用いるという点を考慮して具体的に述べると、長寸ブラシ歯４２は、その歯先がブラシ本体中心軸を中心に半径約２３ｍｍの円周上に位置し、短寸ブラシ歯４４は半径約１６．８ｍｍの円周上、第１ブラシ歯列３０のブラシ歯は半径約２０ｍｍの円周上に位置する。なお、ブラシ本体２０を円柱断面のシャフト形状とすれば、第１ブラシ歯列３０および第２ブラシ歯列４０を、ブラシ本体中心軸から真っ直ぐにブラシ歯を延ばして放射状とすることもできる。
【００２８】
次に、第１ブラシ歯列３０と第２ブラシ歯列４０のブラシ歯配列の様子について説明する。図９は第１ブラシ歯列３０と第２ブラシ歯列４０のブラシ歯配列の様子を説明する説明図である。なお、この図９では扁平断面のブラシ本体２０を平板状に延ばしたと仮定した場合のブラシ歯配列の様子が示されている。
【００２９】
この図９に示すように、第２ブラシ歯列４０は、長寸ブラシ歯４２と短寸ブラシ歯４４とを第２歯間ピッチＰ２で交互に並べた上で、隣り合う第２ブラシ歯列４０においては長寸・短寸のブラシ歯を揃えて備える。第１ブラシ歯列３０Ｆと第１ブラシ歯列３０Ｂは、第２歯間ピッチＰ２の約２倍の間隔の第１歯間ピッチＰ１でブラシ歯を並べており、第１ブラシ歯列３０の各ブラシ歯は、その両側の第２ブラシ歯列４０の長寸ブラシ歯４２とほぼ揃って並んでいる。第１ブラシ歯列３０と第２ブラシ歯列４０の各ブラシ歯は、ブラシ歯基部において矩形断面とされ、ブラシ歯先端に向かうに従って断面狭小となる角錐状の櫛歯形状とされている。本実施例では、ヘアーブラシ１０をストレートパーマ施術に用いるという実用上から、第１ブラシ歯列３０についてはこれをブラシ歯が１５本並んだブラシ歯列とし、第２ブラシ歯列４０を長寸ブラシ歯４２と短寸ブラシ歯４４が交互に３３本並んだブラシ歯列とした。なお、第１ブラシ歯列３０と第２ブラシ歯列４０におけるブラシ歯数は、ストレートパーマ施術としての実用に耐える範囲において適宜設定可能である。それぞれのブラシ歯形状も同様であり、円錐状の形状や、三角錐、円柱状の形状とすることもできる。
【００３０】
また、上記の実用上の上から、第１ブラシ歯列３０の第１歯間ピッチＰ１は、既述したように毛髪の梳きが可能なブラシ歯間隔であり、毛髪梳き用の既存のヘアーブラシと変わるものではなく、本実施例では約４ｍｍである。第２歯間ピッチＰ２については、これを第１歯間ピッチＰ１の半分の約２ｍｍとすることで、この第２歯間ピッチＰ２で長寸ブラシ歯４２と短寸ブラシ歯４４を交互に並べた第２ブラシ歯列４０は、毛髪の梳きの際にその梳かれる毛髪との摩擦により毛髪の梳き動作に伴って毛髪にテンションを付与する。なお、第１歯間ピッチＰ１は、毛髪の梳きが可能なブラシ歯間隔として実用に耐える範囲において適宜設定可能であり、第２歯間ピッチＰ２についても、梳かれる毛髪との摩擦により毛髪の梳き動作に伴って毛髪にテンションを付与できる範囲において適宜設定可能である。
【００３１】
ここで、第１ブラシ歯列３０と第２ブラシ歯列４０のブラシ歯の毛髪梳きへの関与の様子について説明する。図１０は第１ブラシ歯列３０において第１歯間ピッチＰ１で櫛歯列状に並んだブラシ歯と第２ブラシ歯列４０において第２歯間ピッチＰ２の倍のピッチで並んだ長寸ブラシ歯４２による毛髪梳きの様子を模式的に示す説明図、図１１は第２ブラシ歯列４０において第２歯間ピッチＰ２で交互に並んだ長寸ブラシ歯４２と短寸ブラシ歯４４による毛髪梳きの様子を模式的に示す説明図である。
【００３２】
図１０に示すように、第１歯間ピッチＰ１の第１ブラシ歯列３０は、当該ピッチが毛髪の梳きが可能な間隔であることから、ヘアーブラシ１０を毛髪の根元側から毛先側に動かす毛髪梳き動作に伴い、毛髪（縮毛）の毛流れを整える。第２ブラシ歯列４０においても、長寸ブラシ歯４２は、短寸ブラシ歯４４より長寸であることから、短寸ブラシ歯４４よりも歯先側のブラシ歯歯先部位を第２歯間ピッチＰ２の倍の第１歯間ピッチＰ１で並べるので、このブラシ歯歯先部位にて第１ブラシ歯列３０と同様に毛髪梳き動作に伴う毛髪（縮毛）の毛流れの整えに寄与する。図において説明すると、毛髪は、第１ブラシ歯列３０におけるブラシ歯の間、および第２ブラシ歯列４０における長寸ブラシ歯４２と長寸ブラシ歯４２との間を通るよう長寸ブラシ歯４２のブラシ歯歯先部位にて梳かれ、この梳かれる毛髪は、短寸ブラシ歯４４の歯先より上にあることから、短寸ブラシ歯４４と重なって描画されている。
【００３３】
その一方、図１１では、第２歯間ピッチＰ２で交互に並んだ長寸ブラシ歯４２と短寸ブラシ歯４４との間を通るよう毛髪が梳かれることになり、第２歯間ピッチＰ２が約２ｍｍと狭いことから、第２ブラシ歯列４０は、上記した毛髪梳き動作に伴って、毛髪梳きの際の毛髪（縮毛）との摩擦によるテンションを毛髪に付与する。しかも、第２ブラシ歯列４０は第１ブラシ歯列３０に並んで位置することから、毛髪梳き動作において上流側の第２ブラシ歯列４０は、第１ブラシ歯列３０のブラシ歯と下流側の第２ブラシ歯列４０の長寸ブラシ歯４２における上記のブラシ歯歯先部位とで上記したように毛流れが整えられた毛髪（縮毛）に対して、テンションを付与する。
【００３４】
次に、上記した本実施例のヘアーブラシ１０を用いた毛髪のストレートパーマ施術について説明する。まず、ストレートパーマを所望する本人（使用者）は、自身の縮毛頭髪にクリーム状ないしペースト状のパーマ第１剤を付着して保持する。パーマ剤の縮毛への付着は、パーマ第１剤を乗せた使用者自身の片手の掌ともう片方の手の掌で縮毛を挟んだ上で、手を縮毛先端側に動かすことでなされる。或いは、パーマ剤付着用の専用ブラシにパーマ第１剤を保持して、そのブラシで縮毛を梳くことでパーマ第１剤を縮毛に付着させるようにすることもできる。頭皮付近の縮毛については、パーマ第１剤を乗せた掌を頭皮に押し当てたり、専用ブラシを頭皮に接触させることでパーマ剤を付着させる。
【００３５】
パーマ第１剤の付着後は、パーマ剤が縮毛に馴染むようしばらく放置してから頭髪をすすぎ洗いし、半乾きにする。これにより、パーマ第１剤が頭髪（縮毛）に浸透し、このパーマ剤浸透により、毛髪の縮れ状態の形状保持能力が弱くなる。使用者は、これ以降において自身でヘアーブラシ１０を使ってストレートパーマを自身の頭髪（縮毛）に掛ける。図１２はストレートパーマを所望する本人（使用者）自身によるストレートパーマ施術の様子を模式的に示す説明図、図１３はストレートパーマ施術の際の毛髪の梳きの様子を模式的に示す説明図である。
【００３６】
使用者は、パーマ第１剤浸透済みの頭髪の毛髪（縮毛）を緊張下で加熱すべく、図１２に示すように、一方の手でヘアーブラシ１０の把持部１２を単純に握るように把持してヘアーブラシ１０を毛髪の根元側から毛先側に動かす毛髪梳き動作を行いつつ、もう片方の手で持ったドライヤーＨＤから温風を毛髪（縮毛）に吹き付ける。この毛髪梳き動作の開始に際して、使用者は把持部１２を把持する際の凸部１２ａによる把持感触により、凸部１２ａの並びの延長線上の第１ブラシ歯列３０（第１ブラシ歯列３０Ｆ或いは第１ブラシ歯列３０Ｂ）を毛髪の根元側において梳き動作のために毛髪に当てることができ、この第１ブラシ歯列３０が毛髪梳きに当初から関与する。仮に第２ブラシ歯列４０を毛髪の根元側において毛髪に当てたとしても、ヘアーブラシ１０を回転させながら毛髪梳きを行うことで、ブラシ半回転の内に、第１ブラシ歯列３０Ｆと第１ブラシ歯列３０Ｂの一方は毛髪梳きに必ず関与することになる。
【００３７】
ヘアーブラシ１０は、上記した毛髪梳き動作に伴って第１ブラシ歯列３０の各ブラシ歯と第２ブラシ歯列４０の長寸ブラシ歯４２における上記のブラシ歯歯先部位とにより既述したように毛髪（縮毛）の毛流れを整える（図１３（Ａ）参照）。その上で、毛先側に向けて毛髪梳き動作を継続しつつヘアーブラシ１０を回転させれば、第２ブラシ歯列４０の短寸ブラシ歯４４も毛髪を梳くブラシ歯となるので、毛髪は、第２ブラシ歯列４０の長寸ブラシ歯４２と短寸ブラシ歯４４との間を通るよう梳かれることになる。よって、ヘアーブラシ１０は、長短のブラシ歯により毛髪（縮毛）にテンションを付与して、毛髪（縮毛）をほぼ真っ直ぐに伸ばした状態とし（図１３（Ｂ）参照）、更にヘアーブラシ１０を回転させることで、毛髪梳きを行う第２ブラシ歯列４０が増えることから、ヘアーブラシ１０は、長短のブラシ歯による毛髪（縮毛）に付与するテンションを増加させて毛髪（縮毛）をより真っ直ぐに伸ばした状態とする（図１３（Ｃ）参照）。しかも、ヘアーブラシ１０は、使用者が毛髪梳き動作を途中で中断してブラシを図１３（Ｃ）に示す梳き動作の中断位置に留め置きさえすれば、毛髪（縮毛）との摩擦に基づいて第２ブラシ歯列４０により毛髪（縮毛）にテンションを付与してその毛髪（縮毛）をほぼ真っ直ぐに伸ばした状態のままとする。このため、使用者は、片方の手で握ったヘアーブラシ１０を梳き動作途中で留め置いて、他方の手でドライヤーＨＤから温風を容易に毛髪（縮毛）に吹き付けることができる。そして、パーマ第１剤浸透済みの頭髪の毛髪（縮毛）は、ほぼ真っ直ぐに伸ばされた状態で温風を受けるので、パーマ第１剤による薬効により毛髪の縮れ状態の形状保持能力は更に弱くなり、ストレート状にパーマされた毛髪となる。
【００３８】
その後は、ストレート形態の保持のため、毛髪の形状保持力回復を図るパーマ第２剤をその容器から毛髪に振り掛けて塗布する。パーマ第２剤付着済み毛髪についても、しばらく放置して毛髪へのパーマ第２剤の馴染みを待ってから、すすぎ洗いして乾燥させる。これにより、毛髪（縮毛）は、ストレート状にパーマされた状態に固定され真っ直ぐに矯正される。
【００３９】
以上説明したように、縮毛のストレートパーマを所望する使用者自らが本実施例のヘアーブラシ１０を用いてストレートパーマ施術を行う場合、その使用者本人はヘアーブラシ１０での毛髪梳き動作を行うだけで、毛髪（縮毛）にテンションを容易且つ確実に付与できる。そして、本実施例のヘアーブラシ１０によれば、使用者自らのブラシ操作に伴うテンション付与に際して、その使用者には、二本の柄を把持してその把持状況を維持するような特異な把持動作を強要しない。しかも、使用者が毛髪梳き動作を途中で中断してヘアーブラシを梳き動作の中断位置に留め置きさえすれば、本実施例のヘアーブラシ１０は、毛髪（縮毛）との摩擦に基づいて第２ブラシ歯列４０により毛髪にテンションを付与したままとする。よって、本実施例のヘアーブラシ１０によれば、使用者は、図１２に示すように、片方の手で把持部１２を単純に握るように把持してヘアーブラシ１０の毛髪の梳き動作を行い、もう片方の手で持ったドライヤーＨＤから温風を容易に毛髪に吹き付けることができる。このため、本実施例のヘアーブラシ１０は、縮毛のストレートパーマを所望する使用者自らによるストレートパーマに適したヘアーブラシとなる。
【００４０】
加えて、本実施例のヘアーブラシ１０では、第１ブラシ歯列３０Ｆおよび第１ブラシ歯列３０Ｂに並べて複数列の第２ブラシ歯列４０を放射状に備えるので、より具体的には、第１ブラシ歯列３０Ｆと第１ブラシ歯列３０Ｂの間に３列の第２ブラシ歯列４０を放射状に備える。このため、ヘアーブラシ１０の回転により図１３（Ｃ）に示すように２列或いは３列の第２ブラシ歯列４０をテンション付与に供することができるので、毛髪梳き動作に伴う毛髪へのテンション付与の実効性が高まると共に、テンション維持も確実且つ容易となる。
【００４１】
また、本実施例のヘアーブラシ１０では、第２ブラシ歯列４０を長寸ブラシ歯４２と短寸ブラシ歯４４とが交互に第２歯間ピッチＰ２で並んだブラシ歯列としたので、ピッチの広い第１歯間ピッチＰ１の第１ブラシ歯列３０に加え、長寸ブラシ歯４２のブラシ歯歯先部位にても縮毛の毛流れの整えを図ることができる。このため、毛流れが整えられた毛髪を狭い第２歯間ピッチＰ２で交互に並んだ長寸ブラシ歯４２と短寸ブラシ歯４４の間に通すことで、毛流れが整えられた毛髪に対しての第２ブラシ歯列４０によるテンション付与とこれに伴う毛髪のストレート状の維持とが確実となり、縮毛のストレートパーマに際しての縮毛のストレート化とその保持に好適となる。
【００４２】
更に、本実施例のヘアーブラシ１０では、第１ブラシ歯列３０Ｆと第１ブラシ歯列３０Ｂをブラシ本体２０を挟んでブラシ歯基部が背中合わせとなるように配設したので、上記の両第１ブラシ歯列は、ブラシ歯を１８０°の開きを持って並べることになる。このため、毛髪へのテンション付与とテンション維持を図るための上記したヘアーブラシ１０の回転動作の許容範囲が広がり、ヘアーブラシ１０の使用方法の多様化を図ることができる。
【００４３】
この他、本実施例のヘアーブラシ１０では、ブラシ本体２０を長手方向と交差する断面において扁平断面形状のものとしたので、このブラシ本体２０からブラシ本体表裏に延ばす第１ブラシ歯列３０のブラシ歯の基部間に、扁平とはいえ平面状の部位を存在させる（図２、図６〜図８参照）。このため、既述したように第１ブラシ歯列３０と第２ブラシ歯列４０を放射状に備えるヘアーブラシ１０を樹脂の型成型にて形成する場合、ブラシ歯基部間の平面状部位を、型成型品であるヘアーブラシ１０の型抜けのための成型品押しピンの押し位置とできるので、ヘアーブラシ１０の型抜きが容易となる。しかも、本実施例では、第１ブラシ歯列３０と第２ブラシ歯列４０が有する各ブラシ歯を、ブラシ歯基部において矩形断面とし（図９参照）、ブラシ歯先端に向かうに従って断面狭小となる櫛歯形状としたので（図１参照）、ヘアーブラシ１０の型抜きがより容易となる。
【００４４】
本発明は上記した実施例や実施形態に限られるものではなく、その要旨を逸脱しない範囲において、種々の態様で実施可能である。例えば、ブラシ本体表裏の第１ブラシ歯列３０の間に配設した第２ブラシ歯列４０を、隣り合うブラシ歯列において長寸ブラシ歯４２と長寸ブラシ歯４２、短寸ブラシ歯４４と短寸ブラシ歯４４とが並ぶようにしたが、隣り合うブラシ歯列のこれらブラシ歯が千鳥状に並ぶようにすることもできる。こうすれば、隣り合う第２ブラシ歯列４０において、約２ｍｍと狭い第２歯間ピッチＰ２より狭いピッチで並んだブラシ歯を毛髪が通って毛髪梳きがなされるので、毛髪梳き動作に伴う毛髪へのテンション付与がより確実となる。
【００４５】
また、第１ブラシ歯列３０における第１歯間ピッチＰ１や第２ブラシ歯列４０における第２歯間ピッチＰ２については、上記した約４ｍｍ、約２ｍｍのピッチに限られるものではなく、ヘアーブラシ１０を毛髪の根元側から毛先側に動かす毛髪の梳きが可能なブラシ歯間隔や、この毛髪梳き動作に伴う摩擦による毛髪へのテンション付与が可能なブラシ歯間隔として実用に耐える範囲において適宜設定される。第１ブラシ歯列３０のブラシ歯の長さや第２ブラシ歯列４０のブラシ歯の長さについても、上記した実施例で採用した長さに限られず、毛髪梳きの実用に耐える範囲で適宜設定できる。
【００４６】
また、上記した実施例では、第２ブラシ歯列４０を第２歯間ピッチＰ２で長寸ブラシ歯４２と短寸ブラシ歯４４とが交互に並んだブラシ歯列としたが、短寸ブラシ歯４４が第２歯間ピッチＰ２で櫛歯列状に並んだブラシ歯列とすることもできる。この他、第２ブラシ歯列４０を、多数本の毛を束ねた毛束をブラシ本体長手方向に沿って列状に並べた植毛ブラシ列とすることもできる。この場合には、毛束自体により毛髪にテンションを付与できることから、毛束のピッチは、それぞれの毛束における毛の本数や第２ブラシ歯列４０の列数に応じて適宜設定でき、毛髪梳き動作に伴う毛束によるテンション付与が可能なピッチとして実用に耐える範囲において適宜設定される。例えば、毛束を第２歯間ピッチＰ２より広い第１歯間ピッチＰ１と同程度とできる。
【００４７】
また、第１ブラシ歯列３０にあっては、ブラシ本体表裏の２列の他、１列或いは３〜４列とすることができるほか、この第１ブラシ歯列３０と第２ブラシ歯列４０を含むブラシ歯列の総列数を、上記した実施例で採用した列数（８列）に限られるものではなく、ブラシ本体２０の形状やその大きさを考慮して、適宜設定できる。
【００４８】
また、ヘアーブラシ１０を、把持部１２とブラシ本体２０とにおいて分離させ、両者を着脱自在とするように構成することもできる。
【符号の説明】
【００４９】
１０…ヘアーブラシ
１２…把持部
１２ａ…凸部
１２ｂ…凹部
２０…ブラシ本体
３０、３０Ｆ、３０Ｂ…第１ブラシ歯列
４０…第２ブラシ歯列
４２…長寸ブラシ歯
４４…短寸ブラシ歯
５０…端部ブラシ歯
Ｐ１…第１歯間ピッチ
Ｐ２…第２歯間ピッチ
ＨＤ…ドライヤー
【図１】
0005496614.tif 000002
【図２】
0005496614.tif 000003
【図３】
0005496614.tif 000004
【図４】
0005496614.tif 000005
【図５】
0005496614.tif 000006
【図６】
0005496614.tif 000007
【図７】
0005496614.tif 000008
【図８】
0005496614.tif 000009
【図９】
0005496614.tif 000010
【図１０】
0005496614.tif 000011
【図１１】
0005496614.tif 000012
【図１２】
0005496614.tif 000013
【図１３】
0005496614.tif 000014